(57)【要約】【課題】高周波の漏波を防いで重量の削減およびコストの低減を図ることができる高周波加熱装置を提供する。【解決手段】高周波加熱装置１０は、筐体１１の内部における加熱室と機械室との間、かつ、ヒンジから離れた開口の角位置に設けられ、扉１４が加熱室の開口を閉鎖したときに扉に設けられたピン１８，１９に押圧されるスイッチユニット１７と、筐体１１におけるスイッチユニット１７の配置位置に対して開口の対角位置に設けられ、筐体１１と扉１４との間に掛け渡されることにより、加熱室の開口を扉１４が閉鎖されときに扉１４を筐体１１に引き寄せるドアアームと、ピン１９に設けられ、ピン１９の長手方向に対して交差する方向に突出する突出部４２と、筐体１１の壁部材２１とスイッチユニット１７との間に配置され、突出部４２の突出方向とは反対側に向かって付勢されているとともに、突出部４２に押圧されることにより、突出部４２の突出方向に移動可能なラックユニット２３と、を備えた。【選択図】図４
2010181106.tif 000002
【特許請求の範囲】
【請求項１】
加熱室および機械室を有する筐体と、
前記筐体にヒンジを介して連結され、前記加熱室の開口を開閉可能な扉と、
前記筐体の内部における前記加熱室と前記機械室との間、かつ、前記ヒンジから離れた前記開口の角位置に設けられ、前記扉が前記加熱室の前記開口を閉鎖したときに前記扉に設けられたピンに押圧されるスイッチユニットと、
前記筐体における前記スイッチユニットの配置位置に対して前記開口の対角位置に設けられ、前記筐体と前記扉との間に掛け渡されることにより、前記加熱室の前記開口を前記扉が閉鎖されたときに前記扉を前記筐体に引き寄せるドアアームと、
前記ピンに設けられ、前記ピンの長手方向に対して交差する方向に突出する突出部と、
前記筐体の壁部材と前記スイッチユニットとの間に配置され、前記突出部の突出方向とは反対側に向かって付勢されているとともに、前記突出部に押圧されることにより、前記突出部の突出方向に移動可能なラックユニットと、を備える高周波加熱装置。
【請求項２】
前記スイッチユニットと、前記ラックユニットとの間にバネが掛け渡されている請求項１記載の高周波加熱装置。
【発明の詳細な説明】
【技術分野】
【０００１】
本発明は、筐体に加熱室および機械室を有し、筐体にヒンジを介して連結されていて加熱室の開口を開閉可能な扉を備えた高周波加熱装置に関する。
【背景技術】
【０００２】
筐体に加熱室と機械室とを備え、加熱室の開口の下部にヒンジを介して扉を連結し、加熱室の両側に配置した一対のドアアームを筐体と扉とに連結した高周波加熱装置がある（例えば、特許文献１参照）。
【０００３】
このような高周波加熱装置は、扉の機械室側に第１インターロックを動作させるための一方のピンと第２インターロックを動作せるための他方のピンとを備える。扉が開口を閉鎖したときに２つのピンによりスイッチユニットを押圧し、一対のドアアームを介して扉を筐体に密着させる。
【特許文献１】特開平１１−２１４１４７号公報（図２、段落００１９，００２２）
【発明の開示】
【発明が解決しようとする課題】
【０００４】
しかしながら、特許文献１は、２つのピンは両インターロックを動作せるためにのみ用いられている。そのため、扉を筐体に密着させる引き寄せ力は一対のドアアームに委ねられている。
【０００５】
一方、ドアアームは筐体の壁部材に形成されているドアアーム孔を介して扉に連結されているために、ドアアーム孔からの高周波の漏波が懸念される。
【０００６】
ところで、近年、重量の削減やコストの低減のためにドアアームを片側のみにしようとする思想がある。
【０００７】
ドアアームを片側化するに際し、一対のドアアームのうち、機械室側のドアアームはスイッチユニットの基板に近接しているために、ドアアーム孔からの高周波の漏波の虞がある。
【０００８】
これに対して、一対のドアアームのうち、機械室から離れた側のドアアームはスイッチユニットの基板から離れているために、ドアアーム孔からの高周波の漏波の虞が少ない。
【０００９】
そのため、ドアアーム孔からの高周波の漏波を考慮してドアアームの片側化を図る必要がある。
【００１０】
本発明は、前述した課題を解決するためになされたものであり、その目的は、高周波の漏波を防いで重量の削減およびコストの低減を図ることができる高周波加熱装置を提供することにある。
【課題を解決するための手段】
【００１１】
本発明に係る高周波加熱装置は、加熱室および機械室を有する筐体と、前記筐体にヒンジを介して連結され、前記加熱室の開口を開閉可能な扉と、前記筐体の内部における前記加熱室と前記機械室との間、かつ、前記ヒンジから離れた前記開口の角位置に設けられ、前記扉が前記加熱室の前記開口を閉鎖したときに前記扉に設けられたピンに押圧されるスイッチユニットと、前記筐体における前記スイッチユニットの配置位置に対して前記開口の対角位置に設けられ、前記筐体と前記扉との間に掛け渡されることにより、前記加熱室の前記開口を前記扉が閉鎖されたときに前記扉を前記筐体に引き寄せるドアアームと、前記ピンに設けられ、前記ピンの長手方向に対して交差する方向に突出する突出部と、前記筐体の壁部材と前記スイッチユニットとの間に配置され、前記突出部の突出方向とは反対側に向かって付勢されているとともに、前記突出部に押圧されることにより、前記突出部の突出方向に移動可能なラックユニットと、を備える。
【００１２】
本発明においては、扉が閉鎖される際に、ピンの突出部の突出方向とは反対側に向かって付勢されているラックユニットが突出部の突出方向に移動された後に戻り移動されてピンを拘束する。
これにより、ドアアームをスイッチユニットの配置位置に対して開口の対角位置に単一に設けたとしても、ラックユニットにより加熱室の開口を扉により確実に閉鎖することができる。
従って、高周波の漏波を防いで重量の削減およびコストの低減を図ることができる。
【００１３】
本発明に係る高周波加熱装置は、前記スイッチユニットと、前記ラックユニットとの間にバネが掛け渡されている。
【００１４】
本発明においては、ラックユニットをバネにより付勢している。
これにより、ラックユニットを、簡素な構造であって低コストに、突出部の突出方向とは反対側に向けて付勢することができるとともに、突出部に押圧された際に突出部の突出方向に移動させることができる。
【発明の効果】
【００１５】
本発明の高周波加熱装置によれば、筐体の内部における加熱室と機械室との間、かつ、ヒンジから離れた開口の角位置に設けられ、扉が加熱室の開口を閉鎖したときに扉に設けられたピンに押圧されるスイッチユニットと、筐体におけるスイッチユニットの配置位置に対して開口の対角位置に設けられ、筐体と扉との間に掛け渡されることにより、加熱室の開口を扉が閉鎖したときに扉を筐体に引き寄せるドアアームと、ピンに設けられ、ピンの長手方向に対して交差する方向に突出する突出部と、筐体の壁部材とスイッチユニットとの間に配置され、突出部の突出方向とは反対側に向かって付勢されているとともに、突出部に押圧されることにより、突出部の突出方向に移動可能なラックユニットと、を備えた。
これにより、高周波の漏波を防いで重量の削減およびコストの低減を図ることができるという効果を有する。
【発明を実施するための最良の形態】
【００１６】
以下、本発明の一実施形態に係る高周波加熱装置について図面を参照して説明する。
【００１７】
図１に示すように、本発明の一実施形態である高周波加熱装置１０は、加熱室１２および機械室１３を有する筐体１１と、筐体１１にヒンジ１５を介して連結され、加熱室１２の開口１６を開閉可能な縦開きタイプの扉１４と、筐体１１の内部における加熱室１２と機械室１３との間、かつ、ヒンジ１５から離れた開口１６の角位置に設けられ、扉１４が加熱室１２の開口１６を閉鎖したときに扉１４に設けられたピン１８，１９に押圧されるスイッチユニット１７と、筐体１１におけるスイッチユニット１７の配置位置に対して開口１６の対角位置に設けられ、筐体１１と扉１４との間に掛け渡されることにより、加熱室１２の開口１６を扉１４が閉鎖したときに扉１４を筐体１１に引き寄せる単一のドアアーム２０と、を主として備える。
【００１８】
単一のドアアーム２０は、筐体１１におけるスイッチユニット１７の配置位置に対して開口１６の対角位置、即ち図１において加熱室１２の左端側に設けられている。そのため、ドアアーム２０は、スイッチユニット１７から離れており、図１において筐体１１の壁部材２１の左方側に形成されたドアアーム孔２２からの高周波の漏波の影響が少ない。図１において加熱室１２の右端側にドアアーム孔は存在しない。
【００１９】
図２に示すように、高周波加熱装置１０は、壁部材２１とスイッチユニット１７との間に配置されたラックユニット２３を備える。
【００２０】
スイッチユニット１７は、基板２４と、第１レバー２５と、第２レバー２６と、不図示の複数のマイクロスイッチを内蔵したスイッチ回路部２７と、を備える。スイッチ回路部２７は不図示の制御回路に電気的に接続される。スイッチ回路部２７は複数のマイクロスイッチが全てオンされた論理により不図示の高周波発生装置への駆動回路の駆動を許可するようになっている。
【００２１】
壁部材２１は筐体１１の前面に配置されており、上方側に第１レバー挿通孔２８を有し、下方側に第２レバー挿通孔２９を有する。
【００２２】
ラックユニット２３は、壁部材２１に平行に配置される本体板部３０を有し、本体板部３０の上端寄りに第２レバー係合孔３１を有する。第２レバー係合孔３１は、その下端部に第２レバー係合突起３２を有し、壁部材２１側に突出した環状の突部３３を有する。
【００２３】
ラックユニット２３には、本体板部３０の下端部にバネ係止部３４が形成されている。バネ係止部３４には筺体１１側に一端部が係止された付勢バネ３５の他端部が係止されている。そのため、ラックユニット２３は第２レバー係合孔３１の突部３３が壁部材２１の第２レバー挿通孔２９に当接するまでのストロークで図２中の上方に向けて付勢されている。
よって、ラックユニット２３は、付勢バネ３５により図２中の上方に向けて確実に付勢される。
【００２４】
第１レバー２５は、基板２４に形成された第１枢支軸３６により回動自在に支持されて不図示の戻しバネを介して図２における時計回転方向に付勢されている。第１レバー２５は先端部に形成されている第１レバー突出部３７を、壁部材２１の第１レバー挿通孔２８を介して扉１４側に向けて突出している。
【００２５】
第１レバー２５は、加熱室１２の開口１６を扉１４により閉鎖する際に、第１レバー突出部３７に扉１４の一方のピン１８が衝突することにより、戻しバネに抗して図２における反時計回転方向に回動する。そして、スイッチ回路部２７内のマイクロスイッチのうちの一つをオンする。
【００２６】
第２レバー２６は、第１枢支軸３６とは独立して基板２４に形成された第２枢支軸３８により回動自在に支持されて不図示の戻しバネを介して図２における時計回転方向に付勢されている。第２レバー２６は、その先端部に形成されている第２レバー突出部３９が、壁部材２１の第２レバー挿通孔２９およびラックユニット２３の第２レバー係合孔３１より筐体１１の後方、すなわち図２における左側に位置するように設けられている。
【００２７】
第２レバー２６は、加熱室１２の開口１６を扉１４により閉鎖する際に、第２レバー突出部３９に扉１４の他方のピン１９が衝突することにより、戻しバネに抗して図２における反時計回転方向に回動する。そして、スイッチ回路部２７内のマイクロスイッチのうちの他の一つをオンする。
【００２８】
図３に示すように、ラックユニット２３は本体板部３０の一部に水平断面視略Ｃ字形状のガイド４０を有し、ガイド４０を基板２４の水平断面視Ｔ字形状のラック支持部４１に装着している。そのため、ラックユニット２３は、スイッチユニット１７の基板２４に脱落不能に組み付けられて、図２における上下方向に移動自在に支持されている。
【００２９】
次に、高周波加熱装置１０の詳細構造および動作について説明する。
【００３０】
図４に示すように、扉１４のピン１９には、ピン１９の長手方向に対して交差する図４中の下方向に突出する突出部４２を有し、突出部４２には前部傾斜面４３と後部傾斜面４４とを形成している。
【００３１】
扉１４が開口１６を閉鎖する際に、扉１４の閉鎖動作に伴い、ピン１８が壁部材２１の第１レバー挿通孔２８に向かって、ピン１９が第２レバー挿通孔２９に向かって、それぞれ進行してくる。
【００３２】
このとき、第１レバー２５はピン１８に押圧されていないためにスイッチ回路部２７内のマイクロスイッチの一つはオフ状態である。第２レバー２６も第１レバー２５と同様にピン１９に押圧されていないためにスイッチ回路部２７内のマイクロスイッチの他の一つはオフ状態である。ラックユニット２３は、第２レバー係合孔３１の突部３３が壁部材２１の第２レバー挿通孔２９に当接していてストローク端において保持されている。
【００３３】
図５に示すように、扉１４の閉鎖動作が進行すると、ピン１８は、壁部材２１の第１レバー挿通孔２８を通じて第１レバー２５の第１レバー突出部３７に衝突する。これにより、第１レバー２５は、戻しバネに抗して図５における時計回転方向に回動する。そして、第１レバー２５の回動に伴いスイッチ回路部２７内のマイクロスイッチの一つがオンされる。
【００３４】
同時に、ピン１９は、壁部材２１の第２レバー挿通孔２９を通過し、ラックユニット２３の第２レバー係合孔３１に向けて進行する。これにより、ピン１９が有する突出部４２の前部傾斜面４３が、第２レバー係合孔３１の第２レバー係合突起３２を乗り越える。
【００３５】
ピン１９の突出部４２の前部傾斜面４３が第２レバー係合孔３１の第２レバー係合突起３２を乗り越えることにより、ラックユニット２３は付勢バネ３５に抗して図５における下方へ向けて移動される。その後に、ピン１９の突出部４２の後部傾斜面４４が第２レバー係合突起３２に係合され、ラックユニット２３は図５中の上方へ向けて戻り移動してから停止する。
【００３６】
このとき、ピン１９は第２レバー２６の第２レバー突出部３９に衝突する。これにより、第２レバー２６は、図５中の時計回転方向に回動する。そして、第２レバー２６の回動に伴いスイッチ回路部２７内のマイクロスイッチの他の一つがオンされる。よって、高周波発生装置への駆動回路の駆動が許可される。
【００３７】
これにより、筐体１１におけるスイッチユニット１７の配置位置に対して開口１６の対角位置に配置されている単一のドアアーム２０により、扉１４を筐体１１に引き寄せるとともに、ピン１９の突出部４１の後部傾斜面４３が第２レバー係合突起３２に係合することにより、扉１４は開口１６を確実に閉鎖されることになる。
【００３８】
図５に示す扉１４の閉鎖状態において、扉１４を筐体１１から開成するために引っ張ると、ピン１９の突出部４２の後部傾斜面４４が第２レバー係合孔３１の第２レバー係合突起３２を乗り越える際に、ラックユニット２３は付勢バネ３５に抗して図５における下方へ向けて移動する。
【００３９】
そして、ラックユニット２３は、付勢バネ３５に蓄積されている弾性反発力により図５における上方へ移動してから停止し、ピン１８が第１レバー２５から離れるとともにピン１９が第２レバー２６から離れてスイッチ回路部２７内のマイクロスイッチがそれぞれオフされる。これにより、高周波発生装置への駆動回路の駆動を禁止する。
【００４０】
本実施形態では、扉１４が閉鎖される際に、ピン１９の突出部４２の突出方向とは反対側に向かって付勢されているラックユニット２３が突出部４２の突出方向に移動された後に戻りピン１９を拘束する。
これにより、ドアアーム２０をスイッチユニット１７の配置位置に対して開口１６の対角位置に単一に設けたとしても、ラックユニット２３により加熱室１２の開口１６を扉１４により確実に閉鎖することができる。
従って、高周波の漏波を防いで重量の削減およびコストの低減を図ることができる。
【００４１】
本実施形態では、ラックユニット２３を付勢バネ３５により付勢している。
これにより、ラックユニット２３を、簡素な構造であって低コストに、突出部４２の突出方向とは反対側に向けて付勢することができるとともに、突出部４２に押圧された際に突出部４２の突出方向に移動させることができる。
【００４２】
なお、前記実施形態で使用した扉１４は縦開きタイプに代えて横開きタイプに適用しても良いことは言うまでもない。
【００４３】
また、前記実施形態で使用した筐体１１、加熱室１２、機械室１３、扉１４等は例示したものに限定するものではなく適宜変更が可能である。
【図面の簡単な説明】
【００４４】
【図１】本発明に係る一実施形態の高周波加熱装置の斜め正面から視た外観斜視図
【図２】図１に示した高周波加熱装置のスイッチユニット周りの縦断面図
【図３】図２に示した高周波加熱装置のＡ−Ａ線断面図
【図４】図１に示した高周波加熱装置の扉の開成時のラックユニット周りの縦断面図
【図５】図１に示した高周波加熱装置の扉の閉鎖時のラックユニット周りの縦断面図
【符号の説明】
【００４５】
１０  高周波加熱装置
１１  筐体
１２  加熱室
１３  機械室
１４  扉
１５  ヒンジ
１６  開口
１７  スイッチユニット
１８  ピン
１９  ピン
２０  ドアアーム
２３  ラックユニット
３５  付勢バネ（バネ）
４２  突出部
【図１】
2010181106.tif 000003
【図２】
2010181106.tif 000004
【図３】
2010181106.tif 000005
【図４】
2010181106.tif 000006
【図５】
2010181106.tif 000007